(57)【要約】【課題】ハイブリッドカラー液晶表示装置における色の視野角変化を改善する。【解決手段】液晶層６６の液晶分子を電圧無印加時に基板６３，６９に略垂直に配向させると共に、光軸が基板面に略垂直方向に存在する位相差板６２を備え、この位相差板６２として、基板法線方向のリタデーションの絶対値が、第１又は第２の副画素の液晶層の、黒表示状態におけるリタデーションの絶対値と、色相表示状態におけるリタデーションの絶対値との間の値のものを用いる。【選択図】図１
2006189813.tif 000002
【特許請求の範囲】
【請求項１】
偏光板と、第１の位相差板と、電極が形成され対向して配置された第１及び第２の基板と、前記第１及び第２の基板の間に配置され、電圧無印加時に液晶が前記基板に垂直に配向した液晶層とを有し、印加電圧に応じて前記液晶層の基板面内のリタデーションを変化させて有彩色を表示する第１の副画素と、カラーフィルタを備え、印加電圧に応じて明度変化範囲で前記液晶層の基板面内のリタデーションを変化させて前記カラーフィルタの色を表示する第２の副画素とで画素を構成するカラー液晶表示素子であって、
前記第１の位相差板は、光軸が基板面に垂直で、基板法線方向の屈折率が基板面内方向の屈折率より小さく、かつ基板法線方向のリタデーションの絶対値が、前記画素の黒表示状態における前記第１または第２の副画素の液晶層の基板法線方向のリタデーションの絶対値と、第１または第２の副画素の色相表示状態における前記液晶層の基板法線方向のリタデーションの絶対値との間の値であることを特徴とするカラー液晶表示素子。
【請求項２】
前記第１の位相差板は、基板法線方向のリタデーションの絶対値が、前記画素の黒表示状態における前記第１または第２の副画素の液晶層の基板法線方向のリタデーションの絶対値より小さく、第１または第２の副画素の色相表示状態における前記液晶層の基板法線方向のリタデーションの絶対値より大きいことを特徴とする請求項１記載のカラー液晶表示素子。
【請求項３】
前記第１の位相差板は、前記画素の黒表示状態における前記第１または第２の副画素の液晶層の基板法線方向のリタデーションの４分の３よりも絶対値の小さいリタデーションを有することを特徴とする請求項２記載のカラー液晶表示素子。
【請求項４】
前記液晶層が垂直配向の液晶分子を含むことを特徴とする請求項１に記載のカラー液晶表示素子。
【請求項５】
前記液晶層がベンド配向の液晶分子と面内リタデーションを持つ第２の位相差板とを含むことを特徴とする請求項１に記載のカラー液晶表示素子。
【請求項６】
前記第２の位相差板が前記ベンド配向状態の液晶分子の面内リタデーションをキャンセルすることを特徴とする請求項５に記載のカラー液晶表示素子。
【請求項７】
前記第２の位相差板が前記電極に電圧を印加した状態で垂直配向状態にある液晶分子の面内リタデーションをキャンセルすることを特徴とする請求項５に記載のカラー液晶表示素子。
【請求項８】
前記第１の位相差板が前記偏光板と前記第１の基板との間に配置され、前記第２の基板に、前記第１の基板側から入射された光を反射する反射層が設けられていることを特徴とする請求項１記載のカラー液晶表示素子。
【請求項９】
前記第２の基板に、前記第１の基板側から入射された光を透過させる光透過層がさらに設けられていることを特徴とする請求項８記載のカラー液晶表示素子。
【請求項１０】
前記第１の位相差板が前記偏光板と前記第１の基板との間に配置され、前記画素の黒表示状態における前記第１または第２の副画素の液晶層の基板法線方向のリタデーションの４分の３よりも絶対値の小さいリタデーションを有し、別の位相差板を前記第２基板の外側に設けたことを特徴とする請求項１記載のカラー液晶表示素子。
【請求項１１】
前記第２の副画素のカラーフィルタは緑色のカラーフィルタであることを特徴とする請求項１に記載のカラー液晶表示素子。
【請求項１２】
前記請求項１乃至１１の何れか１項に記載のカラー液晶表示素子を用いたことを特徴とするカラー液晶表示装置。
【発明の詳細な説明】
【技術分野】
【０００１】
本発明は、反射型カラー液晶表示素子、半透過型カラー液晶表示素子等のカラー液晶表示素子及びカラー液晶表示装置に関し、特に位相差板を用いたものに関する。
【背景技術】
【０００２】
現在、フラットパネルディスプレイはパソコン用などの各種モニタ、携帯電話用表示素子などに広く普及しており、今後は大画面テレビ用途への展開を図るなど、ますます普及の一途をたどることが予測されている。中でも最も広く普及しているのが液晶ディスプレイであり、このような液晶ディスプレイにおいてカラー表示方式として広く使用されているのが、マイクロカラーフィルタ方式と呼ばれるカラー表示方式である。
【０００３】
ここで、このマイクロカラーフィルタ方式は、ひとつの画素を少なくとも３つの副画素に分割し、それぞれの副画素に３原色の赤（Ｒ）・緑（Ｇ）・青（Ｂ）のカラーフィルタを形成することによってフルカラー表示を行うものである。このマイクロカラーフィルタ方式は、高い色再現性能を容易に実現することができるというメリットがある。
【０００４】
しかし、このマイクロカラーフィルタ方式は、透過率が１／３になってしまうことから、光利用効率が悪くなってしまうという欠点がある。そして、このような光利用効率の悪さは、バックライトを有する透過型液晶表示装置や、フロントライトを有する反射型液晶表示装置において、補助光源であるバックライトやフロントライトの消費電力が高くなってしまう原因となっている。また、こうした補助光源を使用しない反射型液晶表示装置では、光利用効率の悪さが致命的となっており、現在ではほとんど用いられていない。
【０００５】
一方、電界制御複屈折効果によるカラー表示モード（以下、ＥＣＢカラーモードと称する）が主として１９７０年代を中心に広く検討された。この表示を用いれば干渉色によるカラー表示ができるので、カラーフィルタを形成することなく明るいカラー表示を行うことが可能である。
【０００６】
しかしながら、ＥＣＢカラーモードでは純度の高い赤色表示ができなかったり、視野角特性が極めて悪かったりといった欠点が多く存在する。このため、１９８０年代以降はマイクロカラーフィルタ方式にとって替わられ、現在ではＥＣＢカラーモードの液晶表示素子はほとんど利用されていないのが現状である。
【０００７】
本発明者らは、このようなカラーフィルタ方式及びＥＣＢカラー方式のそれぞれ異なる課題を解決するための新しい表示原理を提案した。この方式によると、ＥＣＢカラー方式とカラーフィルタ方式とを組み合わせることによって、従来のＲＧＢカラーフィルタ方式と比較して光利用効率が高くなるため、明るい表示装置が実現可能である（特許文献１参照）。
【０００８】
以下、この複屈折による着色現象とカラーフィルタとを組み合わせたハイブリッド型のカラー表示方式のことを本方式、もしくはハイブリッドカラー液晶モードと称する。
【０００９】
以下、ハイブリッドカラー液晶モードの原理について説明する。なお、本方式は上記特許文献に記載のように、様々な応用例、変形例があげられるが、ここでは基本形態と２つの変形例について説明する。
【００１０】
（基本形態）
図５は、基本形態に係る液晶表示素子の画素構成を示す図であり、この液晶表示素子においては、図５に示すように、１画素１０を複数の副画素１１，１２に分割し、そのうちの１つの副画素１２には緑色のカラーフィルタＧを重ねている。また、残る副画素１１は、リタデーションを調節して、黒から白に至る無彩色の輝度変化と、赤からマゼンタを経て青に至るいずれかの色とを表示させる。
【００１１】
即ち、電圧印加により液晶層のリタデーションを変化させて有彩色を表示する第１の副画素１１と、カラーフィルタを有し、電圧によって明度変化範囲でリタデーションを変化させてカラーフィルタの色（緑）を表示する第２の副画素１２とで単位画素を構成する。なお、この構成は、光の三原色のうち、視感度の高い緑色を表示させる副画素１２には、ＥＣＢによる着色を利用しないで緑色のカラーフィルタＧを用い、赤と青だけにＥＣＢによる着色現象を利用することが特徴である。
【００１２】
例えば、緑（Ｇ）のカラーフィルタのある副画素（以下、Ｇ副画素という）１２を暗状態とし、カラーフィルタのない副画素（以下、透明副画素という）１１を白色（無彩色変化領域の最大輝度状態）にすることにより、画素全体として白を表示することが出来る。あるいは、Ｇ副画素１２を最大透過状態にし、透明副画素１１を有彩色領域のマゼンタ色にしてもよい。マゼンタ色は赤（Ｒ）と青（Ｂ）の両方の色を含むので、合成の結果、白表示が得られる。
【００１３】
また、Ｇ単色にするには、Ｇ副画素１２を最大透過状態にし、透明副画素１１を暗状態にする。Ｒ単色（Ｂ単色）にするには、Ｇ副画素１２を暗状態にし、透明副画素１１のリタデーション値を赤（青）表示となるように適宜調整すればよい。例えば、クロスニコルに挟んだ液晶素子を透過型として観測する場合には、リタデーション値を４５０ｎｍ（６００ｎｍ）にすればよい。これらを組み合わせることでＲとＧ、ＢとＧの混色も得られる。
【００１４】
Ｇ副画素１２と透明副画素１１をともにリタデーションを０にして暗状態とすれば黒表示が得られことはいうまでもない。なお、円偏光板を使用した一枚偏光板型反射型液晶表示素子の場合には、リタデーション値はここに記載する値の半分である。
【００１５】
この構成では、Ｇ副画素１２はリタデーションを０から２５０ｎｍの範囲で変化させ、透明副画素１１はリタデーションを０から２５０ｎｍの範囲と４５０ｎｍから６００ｎｍの範囲で変化させる。通常、液晶材料は両副画素で共通にするので、駆動電圧範囲を異なるように設定する。
【００１６】
そして、この構成では、カラーフィルタを緑色に選んだ結果、緑をリタデーションの調節で作ることが回避される。ここで、リタデーションによって得られる緑色は１３００ｎｍ程度であって、極めて大きな値であるので製造上および特性上の不利を招くのであるが、緑カラーフィルタを用いる本方式を用いることによってこうした大きなリタデーション値を用いる必要がなくなる。また、緑色は視感度が高いので、カラーフィルタによって純度の高い色を作ることにより、画質が向上する。
【００１７】
また、このように構成することにより、通常用いられる液晶表示素子と比較してセル厚を極端に厚くする必要がなくなる。例えば、透過型の場合、赤はリタデーションが４５０ｎｍであって、青はリタデーションが６００ｎｍである。したがって、６００ｎｍのリタデーションを実現するためのセル厚に設定すればよいことになる。
【００１８】
従来のＲＧＢカラーフィルタを用いる液晶表示素子の場合、白黒表示に必要なリタデーションは２５０ｎｍ程度であるので、本方式に必要なセル厚は従来の約２倍である約１０ミクロンに設定すればよいことになる。
【００１９】
応答速度はセル厚の二乗に比例するとされているが、最近の駆動技術の進展によって数ミリ秒の応答速度が実現されつつあるために、本方式で応答が約４倍の時間がかかったとしても、若干のボケは存在するものの動画表示は可能となる。またこれを反射型液晶表示素子に適用した場合には、セル厚が半分となるため応答速度はこの１／４となり、動画表示にもほぼ問題ないレベルにすることができる。また緑の色再現範囲はカラーフィルタによって決まり、かつ視感度が高いために、白色成分の透過率を犠牲にすることなく色再現性を高めることが可能となる。
【００２０】
（変形例１）
以上の基本形態に対して、リタデーション変化で着色する方の第１の副画素にマゼンタなどの緑色と補色の関係にあるカラーフィルタを配設することもできる。
【００２１】
この基本形態の変形例に係る画素構成を図６に示す。Ｇ画素２２には基本形態と同じく緑のカラーフィルタが配設されており、基本形態では透明であった第１の副画素２１にマゼンタ色のカラーフィルタＭが配設されている。
【００２２】
第２の副画素（Ｇ画素）２２には、上記基本形態と同じく明度を変化させる変調領域の変調を与えて緑色の明度を変化させる。第１の副画素２１には、色相を変化させる変調領域の変調を与えて有彩色を表示させるとともに、明度を変化させる変調領域の変調を与えてマゼンタ色の明度を変化させる表示を行う。
【００２３】
図７に、波長４８０ｎｍ〜５８０ｎｍまでの透過率がゼロであり、それ以外の波長の透過率が１００％となるような理想的なマゼンタカラーフィルタを配設した場合のリタデーションによる色変化の計算値を示す。
【００２４】
図７に示すように、第１の副画素は、リタデーション量がゼロから増加するにつれて黒色表示から暗いマゼンタ色（マゼンタ色の中間調）を経て明るいマゼンタ色表示に至る明度変化を示す。その後リタデーション量が更に増加し、カラーフィルタを用いないときには白色となったリタデーション値を超えると、マゼンタ→赤→赤紫（マゼンタ）→紫→青色、というような有彩色の連続的変化を示す。
【００２５】
なお、図７と、マゼンタカラーフィルタを用いない場合の計算値である図８とを比較してみると、図７の場合、色度変化の範囲が赤と青の純色（色度図の隅）近くにまで広がっていることが判る。これにより、マゼンタカラーフィルタを配設することによって赤と青の色再現範囲が広がっていることがわかる。
【００２６】
また、赤から青への変化が色度図の下辺に沿って動くので、赤から青への連続的な混色の変化が得られることもわかる。このように、第１の副画素にマゼンタカラーフィルタを配設することによって、赤と青の色再現範囲が広がると同時に、リタデーション変化したときに中間色の連続的変化も得られる。
【００２７】
なお、本変形例において、白色を表示するには、マゼンタ副画素２１とＧ副画素２２をともに最大透過率を与える同じリタデーション値（２５０ｎｍ）に設定する。あるいは、Ｇ副画素２２を最大透過率状態（リタデーション値２５０ｎｍ）にし、マゼンタ副画素２１を赤と青の中間のリタデーション値（５５０ｎｍ付近）に設定してもよい。
【００２８】
前者の方法の場合、無彩色の明度を変化させるには、両副画素の階調がそろって変化するように、マゼンタ画素のリタデーションを緑色のカラーフィルタ画素のリタデーションに合わせて変化させればよい。なお、黒表示、Ｇ・Ｒ・Ｂの各単色を表示する場合、それらの混色を表示する場合は、基本形態と同じである。
【００２９】
以上説明したように、マゼンタ色など緑色と補色関係にあるカラーフィルタを用いることによって、無彩色の階調表現ができると同時に、緑の補色の階調表現ができることから、表現できる表示色数を増加させることができる。また、マゼンタカラーフィルタは赤色と青色の両方を透過するので、従来の赤と青のカラーフィルタを併設する方式に比べて明るい表示が得られる。
【００３０】
（変形例２）
図５に示す液晶表示素子では、視感度特性の高い緑画素については連続階調表示可能であるが、透明画素部分の有彩色状態、つまり青と赤は、ＥＣＢによる着色を利用しているため電圧によって色相が変化する領域である。このＥＣＢカラー領域は色相変化とともに明度も若干変化する領域なので、この範囲であっても色相変化が視認上気にならない範囲では明度変調を利用することで擬似的に階調表示を行うことが可能であるが、厳密な意味での階調表示はできない。
【００３１】
ただし、ＥＣＢカラー効果を用いる表示色における階調数は明暗の２値のみに限定されるが、従来のＲＧＢカラーフィルタ方式を用いる場合と比較すると、１つの画素に必要な副画素数が３つから２つに減らすことが可能となる。これにより、ドライバＩＣの数が同一であったときには有効画素数が１．５倍となり、高解像度な表示が得られる。もしくは同一の画素数を得るためには、必要なドライバＩＣ数を減らすことが出来るために、低コストなパネルを得ることが可能となる。また開口率の面からも副画素数が少ないため有利である。
【００３２】
図９は、階調数の問題点を改良した変形例であり、この液晶表示素子では画素５０の透明副画素５１を複数のサブピクセル５１ａ，５１ｂに分割し、その面積比を変えることによってデジタル的に階調を表現する。ここで、サブピクセル５１ａ，５１ｂは異なる面積を有しているので、点灯して色が表示されるサブピクセルの面積によっていくつかの段階の中間調が表示される。
【００３３】
このとき、サブピクセルがＮ個あったとき、その面積比を１：２：・・・：２Ｎ−１となるよう分割することで、リニアリティーの高い階調表示特性を得ることが出来る。図９の例ではＮ＝２としている。
【００３４】
本変形例では視感度特性の低い赤と青にのみデジタル階調を使用している。緑画素には０から２５０ｎｍの範囲で連続的な変調を与えることにより、連続的な階調が表示できる。そのために、人間の目には、階調性が大きく損なわれたようには感じられず、比較的良好なカラー画像を得ることができる。即ち、目の検知しうる階調数が少ない赤と青に限ってデジタル階調を使用することで、限られた階調数でも十分な特性を持たせることが可能となる。
【００３５】
なお上記のように限られた階調数でも十分な階調性を感じさせるためにも、画素ピッチは細かい方が好ましい。つまり、人間が画素を識別できなくなる解像度という観点で、２００ミクロンピッチ以下にしておくことがより望ましい。以上述べた方式に従えば、明るく、光利用効率が高く、視認上フルカラー表示が可能な液晶表示素子を実現することが可能となる。
【００３６】
一方、最近は液晶表示素子の一部の領域を光反射性領域とし、一部の領域を光透過性領域とするような半透過型液晶表示素子が、携帯電話や携帯情報端末などに広く使用されるようになってきている。特に、可搬型電子装置は、屋外で使用することが多く非常に明るい外光中でも十分な視認性が確保されることと、暗い室内においても高いコントラストや色再現性といった高い表示品位を確保されることが要求される。
【００３７】
【特許文献１】ＷＯ２００４／０４２６８７号公報
【発明の開示】
【発明が解決しようとする課題】
【００３８】
ところで、上述したとおり、ＲＧＢカラーフィルタ方式のカラー液晶表示素子は明るさに関しては犠牲になっているものの、応答速度やコントラストなどの表示特性が近年飛躍的に改善しており広く普及している。中でも特に視野角依存性に関しては各方面で広く検討が進められ、視野角補償フィルムの最適化によって大幅に視野角特性が改善されており現在では全く問題になっていない。
【００３９】
これに対して、ハイブリッドカラー液晶モードでは、複屈折によるカラー表示原理を利用しているため、表示色が視野角に依存するという問題は残されたままであった。
【００４０】
一般のＶＡモードを用いた液晶ディスプレイでは、視野角依存性の課題に対して、いわゆる負のＣプレート（詳細は後述）を挿入することで電圧無印加時の液晶の複屈折量を完全に補償し、光学的に等方性とする方法が提案されており、広く用いられている。
【００４１】
しかしながら本発明者が鋭意検討したところによると、こうした光学的等方性となるように補償フィルムをハイブリッドカラー液晶モードに適用すると、かえって視野角特性を悪化させることが判明した。
【００４２】
そこで本発明では、このような現状に鑑みてなされたものであり、表示品位が高く、かつ広い視野角特性を有するカラー液晶表示素子及びカラー液晶表示装置を提供することを目的とするものである。
【課題を解決するための手段】
【００４３】
本発明は、偏光板と、第１の位相差板と、電極が形成され対向して配置された第１及び第２の基板と、前記第１及び第２の基板の間に配置され、電圧無印加時に液晶が前記基板に垂直に配向した液晶層とを有し、印加電圧に応じて前記液晶層の基板面内のリタデーションを変化させて有彩色を表示する第１の副画素と、カラーフィルタを備え、印加電圧に応じて明度変化範囲で前記液晶層の基板面内のリタデーションを変化させて前記カラーフィルタの色を表示する第２の副画素とで画素を構成するカラー液晶表示素子であって、前記第１の位相差板は、光軸が基板面に垂直で、基板法線方向の屈折率が基板面内方向の屈折率より小さく、かつ基板法線方向のリタデーションの絶対値が、前記画素の黒表示状態における前記第１または第２の副画素の液晶層の基板法線方向のリタデーションの絶対値と、第１または第２の副画素の色相表示状態における前記液晶層の基板法線方向のリタデーションの絶対値との間の値であることを特徴とするものである。
【発明の効果】
【００４４】
本発明のように、第１の位相差板として、基板法線方向のリタデーションの絶対値が、第１又は第２の副画素の液晶層の、黒表示状態におけるリタデーションの絶対値と、色相表示状態におけるリタデーションの絶対値との間の値のものを用いる。これにより、表示品位が高く、かつ広い視野角特性を有するカラー液晶表示素子及びカラー液晶表示装置を提供することができる。
【発明を実施するための最良の形態】
【００４５】
液晶層に対して斜めに入射する光は垂直入射光と異なる光学変調を受ける。これは視野角依存性と言われて、液晶ディスプレイの表示品質を決める大きな要因である。視野角依存性の生じる原因の１つは、液晶層が、基板に垂直な方向と基板面内方向で異なる屈折率を持つことである。
【００４６】
垂直方向に入射する光は、基板に垂直な方向の屈折率に何ら影響されないが、斜め入射光は基板に垂直な方向の成分を持つため、面内の屈折率と垂直方向の屈折率が異なるとその影響を受けて垂直入射光とは異なる偏光状態の光となって出射される。
【００４７】
以下の説明においては、液晶層あるいは位相差板のリタデーションについて、基板面内の屈折率と基板法線方向の屈折率との差に液晶層の厚さ（または位相差板の厚さ）をかけたものを面外リタデーション、または単にリタデーションという。
【００４８】
そして、基板面内の屈折率が方位によって異なるときは、光の入射面を含む方位を取り、その方位の面内屈折率と法線屈折率との差に液晶層の厚さ（または位相差板の厚さ）をかけたものを面外リタデーションとする。
【００４９】
多くの液晶ディスプレイは、電圧を加えて面内の屈折率異方性を変化させ、それによって明暗のコントラストを生じさせている。通常、面内の屈折率異方性、即ち面内の最大屈性率と最小屈折率との差に液晶の厚さをかけたものをリタデーションといい、上記の背景技術の説明で用いられているリタデーションは、この意味である。以下の説明においては、これを面内リタデーションといい、面外リタデーションと区別する。位相差板についても同様の区別で用いる。
【００５０】
以下、本発明を実施するための最良の形態について図面を用いて詳細に説明する。
【００５１】
（第１の実施の形態）
【００５２】
図１は、本発明の第１の実施の形態に係るカラー液晶表示装置に用いられるカラー液晶表示素子の一例である反射型液晶表示素子の構造を示す図である。この反射型液晶表示素子６０は、偏光板６１、視野角補償フィルム６２、第１ガラス基板６３、透明電極６４、配向膜６５、液晶層６６、配向膜６７、反射電極６８、第１ガラス基板６３に対向配置された第２ガラス基板６９が順に積層された構成のものである。なお、第１ガラス基板６３は、観察者側の第１の基板であり、第２ガラス基板６９は、第１ガラス基板６３に対向配置された第２基板である。
【００５３】
なお、反射電極６８には公知の方法を用いて凹凸形状を付与することで拡散性を持たせてもよいし、視野角補償フィルム６２とガラス基板６１の間、もしくは視野角補償フィルム６２の上に前方散乱フィルムを用いることで拡散性を持たせてもよい。
【００５４】
液晶表示素子６０は、誘電率異方性が負の液晶材料を基板に垂直に配向させた、いわゆるＶＡ配向モードを用いる。偏光板６１としては広帯域円偏光板を用いることが好ましい。広帯域円偏光板を用いた場合には電圧無印加状態にて黒表示される、いわゆるノーマリブラックモードとなる。
【００５５】
偏光板６１と第１ガラス基板６３の間に配設されている第１の位相差板としての視野角補償フィルム６２は、光学軸がフィルムの法線方向にあり、フィルム面に垂直な方向の屈折率が異常であってフィルム面内方向には等方的な屈折率を持つ一軸性のものである。このような位相フィルムはＣプレートと呼ばれている。
【００５６】
基板法線方向の屈折率が面内の屈折率よりも大きい、即ち基板法線方向に遅相軸があるものは正のＣプレート、基板法線方向の屈折率が面内の屈折率よりも小さい、即ち基板法線方向に進相軸があるものは負のＣプレートと称されている。
【００５７】
図２は、Ｃプレートの屈折率楕円体とフィルム面の関係を示す。図２（ａ）は正のＣプレートで、フィルム１の面に対して葉巻型の屈折率楕円体２が垂直に位置している。図２（ｂ）は負のＣプレートで、偏平なオレンジ型の屈折率楕円体３が偏平な面をフィルム１の面に平行にして配置する。Ｃプレート（視野角補償フィルム６２）のリタデーション値は、フィルム面内の屈折率とフィルム面に垂直な方向の屈折率との差にフィルムの厚さをかけたもので定義される。
【００５８】
現在、市販されているＶＡ配向モード一般には負のＣプレートが用いられ、斜めからみたときにも黒表示が保たれるようにリタデーションが設定される。ＶＡ液晶自身が基板法線方向に光軸（遅相軸）を有するような正のＣプレートと同様の構造となっているので、視野角補償フィルム６２として液晶層６６と同じ位相差の負のＣプレートを用いることで、上記の条件を満たすことが可能となる。逆に、正のＣプレートを用いてしまうと視野角を悪化させる原因となるので、通常用いられることがない。
【００５９】
このようにして光学的等方性を得た液晶セルでは、黒表示においてまったく複屈折媒体が存在しないのと同じ状態になるために、液晶に起因する視野角特性は存在しないことになる。
【００６０】
負のＣプレートを用いることにより、いかなる傾斜方向から見た場合でも光が抜けて明るくなってしまうことがない。これによって視野角の広いディスプレイを得ることが可能となっている。実際の素子では偏光板に起因する視野角特性が残るために若干の視野角特性は存在するが、おおむね良好な視野角特性を得ている。
【００６１】
以上説明したように，黒表示時の複屈折が光学的等方性となるように最適化するためには、用いる視野角補償フィルム６２のリタデーション量は、液晶層６６のリタデーション量と絶対値が略一致していることが条件である。
【００６２】
しかしながら、このようなリタデーション量の光学フィルムをハイブリッドカラー液晶モードに適用したところ、黒表示時の特性については一般のＶＡ液晶ディスプレイの場合と同様に極めて良好であった。しかし、赤色や青色表示をした際には視野角依存性が観測され、必ずしも良好な視認性が得られなかった。具体的な数値に関しては実施例中で述べるが、ここでは得られる結果および改善のための最良の形態について定性的な説明を行う。
【００６３】
ハイブリッドカラー液晶モードの黒表示特性も、ＶＡ液晶モードと同様、視野角補償フィルム６２のリタデーション量を、液晶層６６のリタデーション量と絶対値が等しくなるように設計することによって、複屈折媒体が存在しないのと等価になる。これにより、視野角に依存しない完全な黒を表示することが可能となる。これは一般に市販されているＶＡ液晶ディスプレイと全く同じである。
【００６４】
ＶＡ液晶では電圧を印加すると垂直配向状態から平行配向状態へと配向変形する。ハイブリッドカラー液晶モードにおいても、液晶を垂直配向させノーマリブラック型とすると、電圧無印加時には垂直配向で黒表示となり、高い電圧を印加してカラー表示を行うときは平行配向に近づく。上述のような設計に基づき黒表示において完全な光学的等方性を得た場合、カラー表示では視野角によって色相が大きく変化することが、本発明者の検討によりわかった。
【００６５】
ここで、その原因について、１９９８年日本液晶学会討論会講演予稿集２Ｃ０４  ｐ．３２２に報告された論文に基づいた考察を行う。
【００６６】
上記論文は、インプレーンスイッチング（ＩＰＳ）の視野角を改善するための補償フィルムについて述べている。ＩＰＳモードは平行配向で、その視野角による着色現象を抑制するために、正のＣプレートを挿入した。Ｃプレートの複屈折量（リタデーション）は、垂直入射ではゼロで、入射方向の傾きとともに液晶層の複屈折量を打ち消すように変化する。このため、視角変化による表示の色づきを抑制することができると報告されている。
【００６７】
垂直配向モードにおいても、電圧を印加した状態では、液晶は基板に対し傾斜もしくはほぼ平行な配向となっている。基板に平行な配向状態はＩＰＳモードにおける液晶分子配向方向と類似している。
【００６８】
上記論文では、平行配向のＩＰＳと、垂直配向液晶と同じ構造を有する正のＣプレートとの組み合わせが良好な結果をもたらしている。したがって、ＶＡ液晶モードで電圧印加状態の視野角を改善するためには正のＣプレートを用いればよい。逆に負のＣプレートを用いると、同様の考察を行った場合には、電圧印加状態において視野角特性を悪化させる原因となる。
【００６９】
ＶＡ液晶と同様の垂直配向モードを使ったＥＣＢカラー（ハイブリッドカラー液晶モードもその１つである）の場合も、電圧印加時のカラー表示に対しては、正のＣプレートを用いることで表示色の視野角依存を抑制することが出来る。
【００７０】
ところが、正のＣプレートをＶＡ液晶モードに用いることは、上述したとおり黒状態において特性悪化の原因となる。単に複屈折によるカラー表示を素子全面で行うだけの場合には正のＣプレートを用いれば良いが、ハイブリッドカラー液晶モードでは、ＥＣＢカラー表示を行う画素と、緑カラーフィルタを有する画素との２種類の画素の混色によってカラー表示が行われる。
【００７１】
例えば、一つの画素が二つの副画素から構成されており、第１の副画素にはマゼンタカラーフィルタ、第２の副画素には緑カラーフィルタが配設されている構成の場合において、は印加される電圧により、次のような表示色の変化が生じる。即ち、ノーマリブラックモードでは電圧無印加状態には黒表示、第１の副画素に対して徐々に電圧を大きくしながら印加した場合には、黒→暗いマゼンタ→明るいマゼンタ→赤→紫→青という表示色の変化が生じる。
【００７２】
同様に第１の副画素に対して徐々に電圧を大きくしながら印加した場合には、黒→暗い緑→明るい緑へと表示色が変化する。また、第１及び第２の副画素に対し同時に電圧印加した場合には、黒→灰色→白へと表示色が変化することになる。
【００７３】
このとき正のＣプレートを用いると、第１の副画素での最大電圧印加近傍のＥＣＢカラー表示時の視野角特性は大きく改善されるのであるが、電圧無印加時における黒の視野角特性は極めて悪くなる。
【００７４】
例えば、青色表示を行うときには第１の副画素に最大電圧を印加して液晶分子を傾斜させ青色表示させ、第２の副画素には電圧を印加しないで液晶分子は垂直配向のままという状態とし、黒色表示とする。
【００７５】
このとき第１の副画素における青色表示部の視野角特性は良好であるが、第２の副画素では視野角特性が悪く、第２の副画素では視野角を変化させたときに黒表示が維持できず、緑色に着色するようになってしまう。つまり第１及び第２の副画素の混色を観測すると、視野角によって青が緑方向へとシフトしてしまい、色調が変化してしまうことになる。赤の場合も同様に、黄色方向へのシフトが生じてしまう。
【００７６】
逆に、一般のＶＡ液晶ディスプレイに用いられているようにして、光学的に等方性となるように最適化された負のＣプレートを用いると、第２の副画素における黒表示は視野角によらず一定である。これに対し、第１の副画素における青表示は大きな視野角依存性を持ってしまうことになる。
【００７７】
つまり、第１及び第２の副画素の混色を観測すると、視野角を変化させた場合に、第１の副画素の視野角特性に依存し、青の色調が変化してしまうことになる。青色表示の画素にはマゼンタカラーフィルタが配設されているので、青からマゼンタ方向へのカラーシフトが観測される。赤の場合も同様に、マゼンタ方向へのカラーシフトが生じてしまう。このように、黒表示の視野角とＥＣＢカラー表示での視野角にはトレードオフの関係がある。
【００７８】
本発明者は、表示する画像として、モノクロの文字やカラー写真など、実際に用いられるさまざまな画像を用いて評価を行い、視野角特性とコントラストの両方をバランスよく最適化することを試みて以下の結果を得た。
【００７９】
まず、文字表示の視認性に関しては、負のＣプレートを用いたほうが優れた表示が得られるといえる。多くの場合、文字はモノクロ（白背景に黒色の文字）で表示されるので、色の視野角依存性は問題にならず、コントラストを最適化することによって文字表示の視認性が最もよくなる。
【００８０】
モノクロ表示では、緑およびマゼンタの副画素の明度変調のみを利用しているので、ＲＧＢカラー方式と同じく、コントラストの視野角変化が最も少なくなる負のＣプレートを用いることによって良好な視認性を得ることができる。
【００８１】
写真画像を表示する場合も、緑やマゼンタ色のみのカラーの写真、あるいはモノクロ写真を表示するなら、明度変調のみを利用しているので、文字表示の場合と同様に負のＣプレートを設定することによって良好な視認性を得ることができることは明らかである。
【００８２】
一般の青や赤が混ざった写真画像に関しては、上述のとおりマゼンタ副画素の視野角による色調変化が問題になる。しかし、負のＣプレートのリタデーション量をコントラストの視野角変化が最も少なくなる値、即ち液晶層の屈折率異方性を完全にキャンセルするリタデーションよりも絶対値を少し小さめに設定することにより、カラー写真画像の表示としては問題ない画質になる。
【００８３】
その理由は、負のＣプレートを用いることによって青と赤の表示の際に多少の色調の変化はあるものの、それがほぼ色相のみの変化であって彩度がほとんど変化しないため、さほど写真表示に悪い印象を与えないためであると考えられる。
【００８４】
正のＣプレートを用いた場合には、上述のとおり光遮断状態（黒表示）を斜めからみたときに光漏れが生じて、色相が変化する。写真画像の表示に際しては、特に赤色表示が緑色の混色によって黄色く変化するので表示品位が大きく劣化する。
【００８５】
以上のように、コントラストと色相の視野角特性についてトータルバランスを鑑みたとき、最も良い特性を得られるのは負のリタデーションのＣプレートを用いたときである。そして、Ｃプレートのリタデーションは、負の範囲で、垂直配向のときの液晶層のリタデーションを完全にキャンセルする条件よりも小さい値に設定すると、液晶が傾斜したときの屈折率変化に対してもある程度のキャンセル効果が残る。
【００８６】
これにより、光遮断状態のコントラスト変化だけでなく光透過状態の色相変化も小さく抑えることができる。その結果コントラストと色相の両方の視野角依存性をバランスよく最適化することができる。
【００８７】
従来のＲＧＢカラー方式と同じように、負のＣプレートのリタデーションを、黒表示時の液晶層のリタデーションをちょうどキャンセルする大きさに設定すると、色相変化領域で視野角依存性が顕著になってしまい好ましくない。それより小さい値であればコントラストを保ちつつ、色変化も少なくなり、バランスの取れた画像が得られる。
【００８８】
ＶＡ配向モードでは、電圧をかけないで液晶が垂直配向にあるとき、液晶層の屈折率楕円体は基板に垂直になり、垂直（長軸）方向に最大屈折率、面内（短軸）方向に最小屈折率を示す。電圧印加によって液晶が傾斜配向したとき液晶層の屈折率楕円体は垂直方向には小さい方向に変化し、水平方向には平均的に大きい方向に変化する。言い換えれば、液晶層は電圧印加によって斜め入射光に対してのリタデーションが小さくなる方向に変化する。
【００８９】
したがって、Ｃプレートのリタデーションの絶対値を、液晶層の屈折率異方性を完全にキャンセルするリタデーションよりも小さく設定するということは、次のことに他ならない。即ち、液晶が垂直配向状態にあり、画素が黒を表示しているときの液晶層のリタデーションと、液晶が傾斜配向または水平配向状態にあり、画素（第２の副画素）が有彩色表示状態にあるときの液晶層のリタデーションとの間の値に設定するということである。
【００９０】
これによって、コントラストと色相の両方についてバランスの取れた最適化が実現される。また、この負のＣプレートのリタデーション値は、コントラストの視野角依存性が最適となる条件よりも小さい値であることが好ましいこともわかった。
【００９１】
コントラストが最適となる負のＣプレートのリタデーション値をＲＣＲ［ｎｍ］としたとき、本方式にとって好ましい負のＣプレートのリタデーション範囲は１［ｎｍ］以上であってＲＣＲ×３／４［ｎｍ］未満であることが好ましい。更に好ましくはＲＣＲ×１／４［ｎｍ］以上であってＲＣＲ×３／４［ｎｍ］未満であることが好ましい。
【００９２】
また液晶材料の屈折率異方性Δｎとセル厚ｄの積をＲＬＣとしたとき、本方式にとって好ましい負のＣプレートのリタデーション範囲は、リタデーションの絶対値が１［ｎｍ］以上であってＲＬＣ×３／４［ｎｍ］未満であることが好ましい。
【００９３】
以上に述べたように、視野角補償フィルム６２として負のＣプレートを用いた構成を使用することによって、黒表示における視野角依存性を抑制し、コントラストの視野角依存性が改善された液晶表示素子を実現することが可能となる。また、カラー表示時の視野角依存性が抑制された液晶表示素子を実現することが可能となる。
【００９４】
具体的には、図１に示す液晶層６６の液晶分子を電圧無印加時に基板６３，６９に略垂直に配向させると共に、光軸が基板面に略垂直方向に存在する視野角補償フィルム６２を備えるようにする。
【００９５】
そして、この視野角補償フィルム６２として基板法線方向と基板面内方向との光路長が基板法線方向よりも基板面内方向に大きい値を示し、かつ光路長差の絶対値が液晶層６６のリタデーション量の絶対値よりも小さいものを用いるようにする。これにより、明るく、光利用効率が高く、表示品位が高く、かつ広い視野角特性を有するカラー液晶表示素子及びカラー液晶表示装置を提供することができる。
【００９６】
（第２の実施の形態）
以下、本発明の第２の実施の形態について説明する。本実施形態は、ＯＣＢモードの液晶層に本発明の位相補償板を適用したものである。基本的な考え方はＶＡモードを用いた第一の最良の形態と類似するので、異なる点を中心に説明する。
【００９７】
基本的な構造は、図１に示したものと同様である。ＯＣＢモードの場合にはＶＡモードとは異なり、誘電率異方性が正の液晶材料を用いる。またベンド配向を実現するために、配向処理方向（ラビング方向）は平行に処理を行い、公知の方法を用いてスプレイ配向からベンド配向への配向変化処理（ベンド転移処理）を行ったものを表示素子として用いる。
【００９８】
ＯＣＢモードでは、所定のベンド維持電圧以上の電圧を印加すると、液晶がベンド配向から垂直配向に変化する。強い電界によって液晶は基板にほぼ垂直になるので、ここではそれを垂直配向と呼ぶ。ベンド配向と垂直配向との中間状態を電圧で制御することによって液晶層の面内リタデーションを変化させ、光学変調を行っている。
【００９９】
ＯＣＢモードではベンド配向および垂直配向のいずれの場合にも、面内リタデーションが残存するために、面内リタデーションを有する光学フィルム（Ａプレートと呼ばれる）を用いて位相補償を行う。Ａプレートは、液晶と合わせて光遮断状態の面内リタデーションの総計がゼロになるように設計される。
【０１００】
視野角を補償するために用いる光学フィルムは、基板面内方向に光軸を有するＡプレート以外に、傾斜した光軸を有するＯプレートや、液晶固有の配向状態を固定化しフィルムとして用いているものなど、さまざまなものを適用することができる。以下、原理の説明のため、Ａプレートを用いて説明するが、他のフィルムも同様の考え方を用いて用意に応用できる。
【０１０１】
ベンド配向状態が黒色になるようにＡプレートの面内リタデーション量を設定する場合をノーマリブラックと称している。逆に、強い電圧を印加した垂直配向状態を黒色にするようＡプレートの面内リタデーション量を設定する場合を（電圧ゼロまたは低電圧印加時に白が表示されるので）ノーマリホワイトと称している。
【０１０２】
ＯＣＢ液晶のハイブリッドカラー方式にＡプレートを適用した例は、国際特許公開ＷＯ２００５／１０６５７４号公報に提案されている。ハイブリッドカラー方式の場合には、強い電圧を印加した垂直配向状態を黒色にするようＡプレートの面内リタデーション量を設定すると、電圧ゼロまたは低電圧印加時にはカラー表示される。以下、これをノーマリカラーと呼ぶ。
【０１０３】
ＯＣＢモードを用い、ノーマリブラックまたはノーマリカラーのＡプレートを備えたハイブリッドカラー液晶に対して、本発明を適用した形態を以下に説明する。基本的な考え方はＶＡモードと同様である。
【０１０４】
まず、ノーマリカラーモードでは、高い電圧を印加して液晶分子をほぼ垂直にしたときに光が完全に遮断状態になるようにＡプレートを置く。Ａプレートの面内リタデーション値は、液晶がわずかに残している面内リタデーションを打ち消すように小さな値でよい。
【０１０５】
Ａプレートと液晶層の組み合わせにより光は遮断されるが、斜めからみると光漏れが生じてコントラストが低下する。液晶とＡプレートとの組み合わせ系は、Ａプレートの面内リタデーションが小さいのでほぼ液晶層のリタデーションが支配し、斜め入射の光に対して正のリタデーションを持つ。それをキャンセルするような負のリタデーションのＣプレートを置くと、コントラストの視野角依存性は改善される。
【０１０６】
しかし、ＶＡモードの場合と同様に、低電圧領域において色相の視野角変化が生じて、写真画像の画質低下が著しい。そのため、Ｃプレートのリタデーション値は、負ではあるが、Ａプレートを含めた液晶層の黒を完全に補償しうる値よりも絶対値の小さいほうが好ましい。
【０１０７】
ノーマリブラックモードでは、弱い電圧を印加して液晶がベンド配向状態のときＡプレートによって光遮断状態となる。Ａプレートの面内リタデーションはベンド配向の面内リタデーションを打ち消すために比較的大きな値になる。
【０１０８】
液晶層とＡプレートを合わせた系の屈折率異方性は、面内方向にはなく、垂直方向に、おもに液晶層の垂直方向の屈折率成分による正の異方性がある。この正の屈折率異方性による視野角依存性を軽減するために、負のＣプレートを置く。
【０１０９】
ここで、Ｃプレートのリタデーション値を、光遮断状態の液晶とＡプレートを合わせたリタデーションをちょうどキャンセルする値に設定してしまうと、高い電圧を印加して垂直配向状態にしたとき、色相の視野角依存性が大きくなり、良好な画質が得られない。
【０１１０】
今の場合、電圧印加によって液晶は垂直方向成分が増すので、電圧を大きくするにつれて、垂直方向の屈折率は大きくなる方向に変化し、面内方向の屈折率は小さくなる方向に変化する。
【０１１１】
言い換えれば、リタデーションは正の方向に大きくなる。したがって、色相変化領域における視野角依存性を低減させるためには、光遮断状態での液晶とＡプレートを合わせたリタデーションをちょうどキャンセルする値より大きなリタデーション値のＣプレートを用いることが好ましい。
【０１１２】
以上の結果に基づき、これら第１の副画素と第２の副画素の視野角特性についてトータルバランスを鑑みたとき、最も良い特性を得られるのは負のＣプレートを用いたときである。さらに、リタデーションの絶対値を、コントラストの視野角依存性が最適となる条件より、色相変調領域における視野角依存性を改善する方向にずらせた条件に設定することがより好ましい。
【０１１３】
有彩色を表示するときの液晶層（Ａプレートを含む）のリタデーションが、光遮断時のリタデーションよりも小さいときは、Ｃプレートの負のリタデーション値を、コントラストの視野角依存性が最適となる条件より絶対値の小さい方向にずらす。ＶＡモード、ノーマリカラーに設定されたＯＣＢモードはこの場合である。
【０１１４】
逆に、有彩色を表示するときの液晶層（Ａプレートを含む）のリタデーションが光遮断時のリタデーションよりも大きい時は、Ｃプレートの負のリタデーション値をコントラストの視野角依存性が最適となる条件より絶対値の大きい方向、即ち負の方向にずらす。ノーマリブラックのＯＣＢモードは、この場合である。
【０１１５】
いずれも、負のＣプレートのリタデーションは、その絶対値が、Ａプレートを含む液晶層の光遮断（黒表示）時のリタデーションと有彩色表示時のリタデーションの間に設定されている。
【０１１６】
以上に述べたように、視野角補償フィルム６２として負のＣプレートを用いた構成を使用することによって、黒表示における視野角依存性を抑制し、コントラストの視野角依存性が改善された液晶表示素子を実現することが可能となる。また、カラー表示時の視野角依存性が抑制された液晶表示素子を実現することが可能となる。
【０１１７】
ところで、これまではカラー液晶表示素子の一例として反射型液晶表示素子について述べてきたが、次にカラー液晶表示素子の他の例として半透過型液晶表示素子について説明する。
【０１１８】
この半透過型液晶表示素子としては、既述した特許文献１に記載されているように、第２の基板に、第１の基板側から入射された光を反射する光反射層と、第１の基板側から入射された光を透過させる光透過層とを設けるようにしたものがある。そして、このように構成することにより、高い反射率の反射型表示と、フルカラー表示が出来る透過型表示を両立できるものがある。
【０１１９】
この反射型の部分に上述の反射型液晶表示素子の原理を用い、透過型の部分は従来のＲＧＢカラーフィルタ方式を用いることによって高い反射率の反射型表示とフルカラー表示が出来る透過型表示を両立することができる。
【０１２０】
またこのとき、ＲＧＢカラーフィルタ方式にて必要とされる液晶層の面内リタデーション量と、本方式の複屈折効果を用いたカラー表示に必要とされる液晶層の面内リタデーション量とは近い値となる。このため、従来問題となっている反射型部と透過型部で異なったセル厚を形成する、いわゆるマルチギャッププロセスを用いる必要がなくなるというメリットがある。
【０１２１】
また、これまでの説明において、複屈折効果を用いる反射型カラー表示に対しては、最適となるＣプレートの大きさは、液晶層の複屈折を完全に補償し、光学的等方性を得るような条件よりも小さい値、例えば４分の３であることが示されている。つまり、コントラストの視野角依存性の観点からは若干理想からは外れるものの、色調変化を抑制できる値を採用することで良好な視認性を得ることができる。
【０１２２】
一方、透過型表示部では高品質なフルカラー表示が求められる。ここで、特許文献１に記載の半透過型液晶素子では、上述のように透過型表示部では複屈折によるカラー表示を用いないで、液晶の明度変調領域のみを用いることと、ＲＧＢカラーフィルタ方式を用いていることでフルカラー表示を実現できる。つまり、これは従来のＶＡ液晶モードと全く同じであるので、用いる補償フィルムはコントラストが最適条件となる条件に設定すればよい。
【０１２３】
これらのことをまとめると、液晶層６６から見て反射型として観測する方向には、光学的等方性となる条件よりも小さ目の負のＣプレートを配置すればよく、透過型として観測するためには光学的等方性を得るような条件に設定すればよい。つまり、液晶層６６から見て反射型として観測する側には上記の考え方で使用目的に応じて求めた所定量のＣプレートを配置し、反対側の面には、光学的等方性にするために不足している量のＣプレートを追加して配置するようにする。これにより、極めて良好な透過型表示を得ることができる。
【０１２４】
なお完全に光学的等方性とはいえなくても反射型の観測側と反対に負のＣプレートを配置することで改善効果が得られることはいうまでもない。
【実施例】
【０１２５】
以下、実施例を用いて本発明を詳細に説明する。
【０１２６】
（共通素子構成）
実施例に用いる共通の液晶表示素子構造として、下記のものを用いる。
【０１２７】
液晶表示素子として、基本的な構成は図１に示す構成と同様なものとする。即ち、垂直配向処理を施した２枚の第１ガラス基板６３，６９を重ね合わせセル化し、液晶材料として誘電率異方性Δεが負である液晶材料（メルク社製、型名ＭＬＣ−６６０８）を注入する。
【０１２８】
ここで、ＭＬＣ６６０８の屈折率異方性Δｎの値は０．０８３であり、セルの上下基板間の厚み（セル厚）は６ミクロンとする。つまり、液晶層６６のリタデーション値は４９８ｎｍである。また上下基板６３，６９での液晶分子は基板法線方向から１度傾いたプレチルト角を有しており、上下基板６３，６９でのプレチルトは反平行の関係となるように配置している。
【０１２９】
基板構造としては、実施例に応じて、一方の基板にＴＦＴが配置されたアクティブマトリクス基板を用い、もう一方の基板にはカラーフィルタが配置された基板を用いる。なお、ＴＦＴ側の画素電極にはアルミ電極を用い、反射型の構成とする。
【０１３０】
また上基板（カラーフィルタ基板）と直線偏光板との間には位相補償板として広帯域λ／４板（可視光領域で１／４波長条件をほぼ満たすことができる位相補償板）を配置することによって、広帯域の円偏光板とする。これにより反射型での表示の際に電圧無印加時には暗状態となり、電圧印加時には明状態となるようなノーマリブラック構成となる。さらに、この広帯域円偏光板６１とカラーフィルタ基板６３の間には、光軸が基板法線方向を向いているＣプレートを配置する。このＣプレートのリタデーション値は実施例に応じて変化させる。
【０１３１】
実施例に用いる特性の評価は、村上色彩株式会社製分光変角測定器ＧＣＭＳ−１１を用いて測定を行い、プレチルト角の傾斜している方位で、かつ基板法線から３０度傾けた極角方向から光を入射させて、基板法線方向にて反射光を測定する。以下、この測定条件のことを、「３０度入射、法線方向観測」の条件と称する。
【０１３２】
（比較例１）
比較のために、１辺が１センチメートルの電極からなる反射型液晶素子を作製する。セルの構成は下から順に、下基板、アルミ電極、配向膜、液晶層、配向膜、透明電極、上基板、前方散乱板、広帯域円偏光板の順に配置するように構成される。この比較例ではＴＦＴやカラーフィルタを用いていない。
【０１３３】
この素子では電圧無印加状態にて黒表示であって、２．７５Ｖ印加することによって白表示が得られる。３．３Ｖ印加にて純度の悪い赤表示が得られ、４．３Ｖにて青表示が得られる。白黒の明るさの比であるコントラストは約５である。
【０１３４】
（比較例２）
比較例１と同様の構成であって、上基板と透明電極の間に富士フイルムアーチ社製カラーレジストＣＭＳ５７１をマゼンタカラーフィルタとして用いる。
【０１３５】
この素子では電圧無印加状態にて黒表示であって、２．７５Ｖ印加することによって明るいマゼンタ表示が得られる。３．３Ｖ印加にて純度の良好な赤表示が得られ、４．３Ｖにて青表示が得られる。黒とマゼンタの明るさの比であるコントラストは約５である。
【０１３６】
ほぼ正面から光を入射させ、基板法線方向へと反射する際の反射光の分光スペクトルを基準色として、３０度入射、法線方向観測での分光スペクトルの表示色の違いを次に評価する。
【０１３７】
この色の違いを評価するために、ΔＥという評価尺度を用いる。
【０１３８】
このΔＥという尺度は、基準色と測定された表示色の二つの色の違いを定量的に表す指標である。そして、前記二つの色に対してＣＩＥＬＡＢ表色系におけるＬ＊、ａ＊、ｂ＊の３つの指標を求め、それぞれを（Ｌ１＊、ａ１＊、ｂ１＊）、（Ｌ２＊、ａ２＊、ｂ２＊）としたとき、
【０１３９】
【数１】
2006189813.tif 000003
で表すことができる。ΔＥのことを一般に色差と称されている。
【０１４０】
このΔＥを評価すると、赤色表示のときのΔＥは約１０であり、青色表示のときのΔＥは約６となる。
【０１４１】
入射方位を変えたときの値は、入射方位がプレチルトの傾斜角方向から４５度ずれている場合、赤表示の色差は約３０、青表示の色差は約１２となる。入射方位がプレチルトの傾斜角方向から９０度ずれている場合、赤表示の色差は約３０、青表示の色差は約１３となる。
【０１４２】
（比較例３）
比較例１と同様の素子を用い、前方散乱板と広帯域円偏光板との間にＣプレートを配置した構成を用いる。このときＣプレートの値を−５００［ｎｍ］から＋５００［ｎｍ］まで変化させてコントラストの測定を行った。この結果、負のＣプレートで３８０ｎｍのリタデーション値を有するものを用いるときにコントラスト最大値が得られ、そのコントラスト値は５０以上が得られる。
【０１４３】
次いで、比較例２と同様の素子を用い、前方散乱板と広帯域円偏光板との間にＣプレートを配置した構成を用いる。このとき、Ｃプレートの値を−５００［ｎｍ］から＋５００［ｎｍ］まで変化させてコントラストの測定を行った。この結果、上記カラーフィルタを用いない場合と同様に、負のＣプレートで３８０ｎｍのリタデーション値を有するものを用いるときにコントラスト最大値が得られ、そのコントラスト値は５０以上が得られる。
【０１４４】
さらに、このようにコントラスト最大となる負のＣプレートを配置したときの色差ΔＥを求めると、入射方位がプレチルトの傾斜角方向からの場合、赤表示の色差は約２０、青表示の色差は約４０となる。これにより、Ｃプレートを用いない場合と比較して悪化していることがわかる。また、入射方位がプレチルトの傾斜角方向から４５度ずれている場合、赤表示の色差は約５０、青表示の色差は約３０となる。入射方位がプレチルトの傾斜角方向から９０度ずれている場合、赤表示の色差は約６０、青表示の色差は約４０となる。
【０１４５】
これらの結果は、比較例２で記載したＣプレートを用いない場合と比較して、いずれの入射角においても大きく悪化していることがわかる。
【０１４６】
（実施例１）
比較例２と同様の素子を用い、前方散乱板と広帯域円偏光板との間にＣプレートを配置した構成を用いる。このときＣプレートの値を−５００［ｎｍ］から＋５００［ｎｍ］まで変化させてＥＣＢ効果によるカラー表示時の視野角による色差が最小となるＣプレートのリタデーション値を求める。
【０１４７】
Ｃプレートのリタデーション値を−５００［ｎｍ］から＋５００［ｎｍ］まで変化させてΔＥの測定を行ってみると、赤表示、青表示時ともに、入射方位にもよるが、概ね正のリタデーション値のときにΔＥが最小となる結果が得られる。
【０１４８】
入射方位がプレチルトの傾斜角方向からの場合、赤表示の色差が最小となるＣプレートのリタデーション値は−１００ｎｍ程度であり、青表示のときは＋１００ｎｍ程度のときに色差が最小となる。このときの色差は赤表示において約５、青表示において１未満の値である。
【０１４９】
入射方位がプレチルトの傾斜角方向から４５度ずれている場合、赤表示の色差が最小となるＣプレートのリタデーション値は＋３００ｎｍ程度であり、青表示のときは＋３００ｎｍ程度のときに色差が最小となる。このときの色差は赤表示において約６、青表示において約３の値である。
【０１５０】
入射方位がプレチルトの傾斜角方向から９０度ずれている場合、赤表示の色差が最小となるＣプレートのリタデーション値は＋２５０ｎｍ程度であり、青表示のときは＋２５０ｎｍ程度のときに色差が最小となる。このときの色差は赤表示において約１８、青表示において約６の値である。
【０１５１】
なお＋３００ｎｍのＣプレートを用いる場合、入射方位がプレチルトの傾斜角方向の場合、および９０度ずれている場合において、コントラストが１以下となり視野角依存による白黒反転現象が生じてしまうことがわかる。
【０１５２】
以上述べたように、正のＣプレートを用いることで、明暗のコントラストは悪化するものの、ほとんどの場合でＥＣＢカラー表示時の視野角による色調変化を抑制することが可能となる。
【０１５３】
（実施例２）
本実施例では、アクティブマトリクス基板として、対角１２インチ、画素数が縦６００×横８００のＴＦＴ基板を用いる。また、素子の断面構成は下から順に、ＴＦＴ基板、アルミ電極、配向膜、液晶層、配向膜、透明電極、カラーフィルタ、上基板、前方散乱板、広帯域円偏光板の順に配置するように構成される。
【０１５４】
各画素は２つの副画素に分割され、それぞれには緑とマゼンタのカラーフィルタが設けられている。さらに、これら緑（Ｇ）の副画素と、マゼンタ（Ｍ）の副画素はそれぞれ１：１．１３の面積比に分割されている。
【０１５５】
この画素に対し、Ｇ副画素に２．７５Ｖを、Ｍ副画素に０Ｖを印加すると、全体として緑表示となる。また、Ｇ副画素に０Ｖを、Ｍ副画素に２．７５Ｖを印加すると、全体としてマゼンタ表示となり、Ｇ・Ｍ副画素ともに２．７５Ｖを印加すると全体として白表示となる。
【０１５６】
さらに、Ｇ副画素に０Ｖ、Ｍ副画素に３．３Ｖを印加すると、全体として赤表示となり、Ｇ副画素に０Ｖ、Ｍ副画素に４．３Ｖを印加すると、全体として青表示となる。また、Ｇ副画素に２．７５Ｖ、Ｍ副画素に３．３Ｖを印加すると、全体として黄表示となり、Ｇ副画素に２．７５Ｖ、Ｍ副画素に４．３Ｖを印加すると全体としてシアン表示となる。
【０１５７】
そして、このような素子に対し、前方散乱板と広帯域円偏光板との間にＣプレートを配置した構成を用いる。このときＣプレートの値を−５００［ｎｍ］から＋５００［ｎｍ］まで変化させてＥＣＢ効果によるカラー表示時の視野角による色差ΔＥを測定した。
【０１５８】
結果を図３に示す。図３の（ａ）は３．３Ｖを印加したときの赤表示時の結果、図３の（ｂ）は４．３Ｖを印加したときの青表示時の結果である。このように負のＣプレートを用いることで色差が最小となることがわかる。またその値は、比較例３で述べた−３８０ｎｍよりも絶対値が小さく、０に近い値となっており、概ね−２５０ｎｍ程度がもっとも色差が小さいことがわかる。
【０１５９】
２５０ｎｍの負のＣプレートを用いたところ、コントラストはプレチルト傾斜方向から見たときに２０が得られ、十分な視認性が得られることがわかる。
【０１６０】
（実施例３）
本実施例では、図４に示すような配置にしたがって、バックライトつきの半透過型液晶素子を得る。つまり、この半透過型液晶素子は、最背面にバックライト９１が配設されており、その上に半透過型液晶表示素子９２が配設されている。なお、この半透過型液晶表示素子９２はバックライト側から、第１の広帯域円偏光板９３、ＴＦＴ付きガラス基板９４、反射電極もしくは透明電極９５の順に積層される。さらに、透明電極９５の上に配向膜９６、液晶層９７、配向膜９８、透明電極９９、ガラス基板１００、前方散乱板１０１、負のＣプレート１０２、第２の広帯域円偏光板１０３の順に積層される。
【０１６１】
ここで、ＴＦＴ付きガラス基板９４と配向膜９６の間には、透過型部では透明電極が配設されており、反射型部では反射電極が配設されている。なお、セル厚は透過型部と反射型部では共通とし、６ミクロンである。また、複数の副画素からなる単位画素は透過型部と反射型部に大別され、透過型部にはＲＧＢ三つのカラーフィルタが配設されており、反射型部には緑とマゼンタのカラーフィルタが配設されている。
【０１６２】
上記構成において、前方散乱板１０１と第２の広帯域円偏光板１０３の間の負のＣプレート１０２は、実施例１の結果に基づき、２５０ｎｍの値の負のＣプレートを用いることで良好な反射型表示を得ることができる。
【０１６３】
さらに、第１の広帯域円偏光板９３とＴＦＴ付きガラス基板９４との間に、上記前方散乱板１０１と第２の広帯域円偏光板１０３の間の負のＣプレート１０２とは別の負のＣプレートを配置し、それを配置しない場合との比較を行った。この結果。６０ｎｍの負のＣプレートを配置することにより、例えば７５度入射のときの透過表示における視野角特性を改善でき、十分な視野角を得ることができる。
【０１６４】
（実施例４）
本実施例では、実施例３と同じ半透過型液晶素子９２を用い、バックライト９１の替わりにフロントライトを半透過型液晶素子９２の前面に配置する。このとき反射部を観測するときはフロントライトによって液晶層に照射された光の反射光を観測し、透過部を観測するときはフロントライトによって液晶層に照射された光の透過光を観測する。
【０１６５】
このように得られる半透過型液晶表示素子９２に関し、実施例３と同様の検討を行ってみると、以下の結果が得られた。第１の広帯域円偏光板とＴＦＴ付きガラス基板との間に、前方散乱板と第２の広帯域円偏光板の間の負のＣプレートとは別の負のＣプレートをさらに配置することにより、例えば７５度入射のときの透過表示における視野角特性を改善できる。これにより、良好な視野角特性を得ることができる。
【０１６６】
（実施例５）
本実施例では、実施例３と同様に、図４に示すような配置にしたがってバックライトつきの半透過型液晶素子を得る。つまり、この半透過型素子は、最背面にバックライト９１が配設されており、その上に半透過型液晶表示素子９２が配設されている。この半透過型液晶表示素子９２は、バックライト側から、第１の広帯域円偏光板９３、ＴＦＴ付きガラス基板９４、反射電極もしくは透明電極９５の順に積層される。さらに、透明電極９５の上に配向膜９６、液晶層９７、配向膜９８、透明電極９９、ガラス基板１００、前方散乱板１０１、第２の広帯域円偏光板１０３の順に積層される。
【０１６７】
上記構成において、第１の広帯域円偏光板とＴＦＴ付きガラス基板の間に負のＣプレートを配置する場合と配置しない場合との比較を行ってみる。その結果、反射部では上記位置にＣプレートがある場合とない場合とで特性に違いがないのは自明であるが、２９０ｎｍの負のＣプレートを配置することによって、透過型部の視野角依存性が良好になる。
【０１６８】
以上の実施例ではガラスと偏光板との間に光学フィルムを設ける構成を記載したが、２枚のガラス基板の間に光学フィルムを塗布して位相差板とする、所謂ｉｎ−ｃｅｌｌ型位相差板を用いることも可能である。必要に応じて、副画素ごとに異なるＣプレートの値となるようにパターニングしたｉｎ−ｃｅｌｌ型位相差板を形成してもよい。
【０１６９】
また、以上の実施例はＶＡモードの液晶を用いた例であるが、これをＯＣＢモードに適用することは容易に可能である。その他、電圧無印加状態でホモジニアス配向状態となり、電圧とともに垂直配向に変化するＥＣＢモードや、上下のプレチルトが異なるハイブリッド配向（ＨＡＮ）モードなど、さまざまな配向モードに本発明を適用することができる。
【図面の簡単な説明】
【０１７０】
【図１】本発明を実施するための最良の形態に係るカラー液晶表示装置に用いられるカラー液晶表示素子の一例である反射型液晶表示素子の構造を示す図。
【図２】上記反射型液晶表示素子を構成するＣプレートの概念を説明する図。
【図３】本発明の実施例における視野角と、色差と、色差が最小となるＣプレートのリタデーション値の関係を調べた結果を表す図。
【図４】本発明の実施例４に係るバックライトつきの半透過型液晶表示素子の構成図。
【図５】従来の液晶表示素子の１画素（単位画素）の画素構造を表す第１の図。
【図６】従来の液晶表示素子の１画素（単位画素）の画素構造を表す第２の図。
【図７】従来の液晶表示素子においてマゼンタカラーフィルタを配設した場合のリタデーション量が変化したときの色度図上の変化を表す図。
【図８】従来の液晶表示素子においてマゼンタカラーフィルタが配設されていない場合のリタデーション量が変化したときの色度図上の変化を表す図。
【図９】従来の液晶表示素子の１画素（単位画素）の画素構造を表す第３の図。
【符号の説明】
【０１７１】
１０        液晶素子の単位画素
１１        第１の副画素
１２        第２の副画素
２０        液晶素子の単位画素
２１        マゼンタ副画素
２２        緑副画素
５０        液晶素子の単位画素
５１        透明副画素
５２        緑副画素
６０        反射型液晶表示素子
６１        広帯域円偏光板
６２        視野角補償フィルム（位相差板）
６３        第１ガラス基板
６４        透明電極
６８        反射電極
６９        第２ガラス基板
９１        バックライト
９２        液晶素子
【図１】
2006189813.tif 000004
【図２】
2006189813.tif 000005
【図３】
2006189813.tif 000006
【図４】
2006189813.tif 000007
【図５】
2006189813.tif 000008
【図６】
2006189813.tif 000009
【図７】
2006189813.tif 000010
【図８】
2006189813.tif 000011
【図９】
2006189813.tif 000012